(57)【要約】【課題】レジスタ端末装置により得られた売上データを即座に回収金額に対応するものとして利用することを可能にする。【解決手段】  預かり金として投入された紙幣を自動的に売上金として収納するように構成され、かつ稼動状態で操作者が接触不可な状態に配置された紙幣収納部２２、この紙幣収納部２２に収納された売上金を計算する紙幣管理部２４、および計算された売上金額からつり銭額を除いた金額を表すデータを送信する紙幣管理部２４、処理部８、通信部１１、およびＰＯＳホスト６ａ１をそれぞれ有するレジスタ端末装置２ａ１と、送信されてきたデータを受信し、レジスタ端末２ａ１において回収された売上金の金額と略同等の売上データとして管理するセンタサーバ３と、を備えている。【選択図】図１
2007299147.tif 000002
【特許請求の範囲】
【請求項１】
店舗に設置されており、紙幣投入部、硬貨投入部、購入金額を表す購入金額データを、操作者を介して入力するための購入金額入力部、前記紙幣投入部および硬貨投入部の少なくとも一方を介して投入された紙幣および硬貨の内の少なくとも一方から構成された預かり金を自動的に売上金として収納するように構成され、かつ稼動状態で前記操作者が接触不可な状態に配置された売上金収納部、前記預かり金の金額を表す金額データを自動的に計算し、計算した預かり金額データと前記購入金額入力部から入力された購入金額データとの差額を計算する第１の計算部、前記差額に対応する紙幣および硬貨の内の少なくとも一方を前記売上金収納部から取り出し、つり銭として自動的に排出するつり銭排出部、前記売上金収納部に収納された売上金を任意のタイミングで計算する第２の計算部、および通信回線に通信可能に接続されており、前記第２の計算部により計算された売上金額を表すデータおよび該売上金額から前記つり銭用の金額として残置する金額を除いた金額を表すデータの内の少なくとも一方を、前記通信回線を介して送信する送信部をそれぞれ有するレジスタ端末装置と、
前記通信回線に通信可能に構成されており、前記レジスタ端末装置の送信部から該通信回線を介して送信されてきたデータを受信し、受信したデータを、前記店舗のレジスタ端末において前記売上金として回収された現金の金額と略同等の売上データとして管理する売上データ受信管理装置と、
を備えたことを特徴とする店舗売上管理システム。
【発明の詳細な説明】
【技術分野】
【０００１】
本発明は、コンビニエンスストア、家電量販店等のチェーン店舗等、本部と加盟店舗とから構成された経営システムにおける各店舗で使用されるキャッシュレジスタにおける売上の管理に好適な店舗売上管理システムに関する。
【背景技術】
【０００２】
従来、小売店、スーパー、家電量販店等のチェーン店の各店舗に設置されたＰＯＳ（Point of Sale）レジスタ等のレジスタにおいては、売り上げ金およびつり銭等の現金は、そのレジスタのドロア（レジスタ内の現金保管場所）に収納されている。すなわち、レジスタ前での販売時（清算時）において、レジ係員が顧客の購入商品の金額をレジスタのキー操作によりレジスタに入力してその表示部を介して合計金額を表示させる。
【０００３】
そして、顧客から預かり金を預かると、レジ係員は、キー操作により預かり金額をレジスタに入力してその差額（つり銭）を表示部に表示させるとともに（ただし、差額がある場合）、レジスタのドロアを引き出し、預かり金をドロアに入れ、表示された金額のつり銭をドロアから取り出して顧客に渡している。
【０００４】
このようにして、例えば店舗閉店時において、レジ係員等の店舗店員は、そのタイミング時においてレジスタのドロアに収納されている現金を回収袋等に入れて回収し、次の日のつり銭用紙幣／硬貨を配布し、店舗内あるいは事務所等で回収金額を集計して所定の用紙に記入する。そして、委託契約された警備会社担当係員は、回収袋を所定の用紙と共に搬送して契約銀行の夜間金庫等に入金していた。
【０００５】
また、特許文献１には、一旦、レジスタ毎に回収された売上金における紙幣および硬貨を、それぞれ個別に収納しておくことができる売上金入金装置が開示されている。
【０００６】
すなわち、この売上金入金装置によれば、レジスタ毎に回収された売上金における紙幣および硬貨を、売上金入金装置における紙幣収納部および硬貨収納部にそれぞれ個別に入金・収納しておき、紙幣収納部を、例えば委託契約された警備会社係員等の売上金回収者側が所有する施錠キーにより施錠し、硬貨収納部を、店舗側で管理される施錠キーにより施錠することができる。この結果、店舗側では、売上金における紙幣という売上金の大半を占める部分の管理をレジスタ毎に行う必要がなくなり、店舗店員の負担を大幅に低減することができる。
【特許文献１】特開平０６−２６６９６３号公報
【発明の開示】
【発明が解決しようとする課題】
【０００７】
しかしながら、上述した従来の売上金管理方法では、レジスタのドロアに収納された紙幣および硬貨は、レジ係員により管理されており、預かり金不足やつり銭誤り等の人為的なミスの発生が避けられなかった。このため、上記売上金回収過程において、レジスタに記録された売上データ（例えば、レジスタ毎、あるいは店舗毎）と実際の回収金額との突合せを、少なくとも店舗側および銀行側で複数回行わなければならず、本部側での売上金額の把握遅延の一因となっていた。
【０００８】
さらに、上述した従来の売上金管理方法では、レジスタ毎に収納された売上金は、委託契約された警備会社担当係員が回収にくるまで、あるいは売上金入金装置に入力するまでは、レジスタ毎に店舗店員が実質的に管理しなければならず、店舗店員にとって大きなプレッシャーとなっていた。
【０００９】
本発明は、上述した事情に鑑みてなされたものであり、レジスタ端末装置により得られた売上データと回収金額とを精査することなく、即座に売上データを回収金額に対応するものとして利用することを可能にした店舗売上管理システムを提供することをその目的とする。
【課題を解決するための手段】
【００１０】
請求項１記載の発明は、店舗に設置されており、紙幣投入部、硬貨投入部、購入金額を表す購入金額データを、操作者を介して入力するための購入金額入力部、前記紙幣投入部および硬貨投入部の少なくとも一方を介して投入された紙幣および硬貨の内の少なくとも一方から構成された預かり金を自動的に売上金として収納するように構成され、かつ稼動状態で前記操作者が接触不可な状態に配置された売上金収納部、前記預かり金の金額を表す金額データを自動的に計算し、計算した預かり金額データと前記購入金額入力部から入力された購入金額データとの差額を計算する第１の計算部、前記差額に対応する紙幣および硬貨の内の少なくとも一方を前記売上金収納部から取り出し、つり銭として自動的に排出するつり銭排出部、前記売上金収納部に収納された売上金を任意のタイミングで計算する第２の計算部、および通信回線に通信可能に接続されており、前記第２の計算部により計算された売上金額を表すデータおよび該売上金額から前記つり銭用の金額として残置する金額を除いた金額を表すデータの内の少なくとも一方を、前記通信回線を介して送信する送信部をそれぞれ有するレジスタ端末装置と、前記通信回線に通信可能に構成されており、前記レジスタ端末装置の送信部から該通信回線を介して送信されてきたデータを受信し、受信したデータを、前記店舗のレジスタ端末において前記売上金として回収された現金の金額と略同等の売上データとして管理する売上データ受信管理装置と、を備えている。
【発明の効果】
【００１１】
本発明によれば、レジスタ端末装置に投入された預かり金を自動的に売上金として収納する収納部を、稼動状態で操作者が接触不可な状態に配置している。このため、収納部に収納されていく売上金に関しては、人為的なミスの影響を排除することができる。
【００１２】
このため、レジスタ端末装置により得られた売上データと、収納部に収納された売上金とを突き合わせて精査することなく、その売上データを、収納部に収納された売上金と略同等として扱うことができる。この結果、実際に売上金を回収する前に、そのレジスタ端末装置における売上データを把握することが可能になる。
【発明を実施するための最良の形態】
【００１３】
以下、本発明の一実施形態について図面を参照にして説明する。
【００１４】
本発明の一実施形態に係わる売上管理システム１は、コンビニエンスストア、家電量販店等のチェーン店舗等、本部と加盟店舗とから構成された経営システムに好適に採用されるシステムである。
【００１５】
すなわち、図１に示すように、売上管理システム１は、同一系列（グループＧ）の各店舗Ｓａ１〜Ｓａｎそれぞれに設置されたレジスタ端末装置２ａ１〜２ａｎと、グループ店舗Ｓａ１〜Ｓａｎの本部会社の事業所（本部センタ）に設置されており、レジスタ端末装置２ａ１〜２ａｎを管理するためのセンタサーバ３と、前記本部センタあるいは各店舗から委託契約（委託内容は後述する）された事業者である例えば警備会社の事業所に設置された警備会社サーバ４と、を備えている。
【００１６】
レジスタ端末装置２ａ１〜２ａｎ、センタサーバ３、および警備会社サーバ４は、公衆通信回線、専用線、公衆通信回線に設けられた仮想プライベートネットワーク｛ＶＰＮ（Virtual Private Network）｝を単独あるいは組み合わせて構築された通信ネットワークＮを介して互いに通信可能に構成されている。
【００１７】
各レジスタ端末装置２ａ１〜２ａｎは、図１に示すように、商品販売時における販売金額計算用および販売された商品に関する情報取用のＰＯＳ端末５ａ１〜５ａｎと、対応する店舗Ｓａ１〜Ｓａｎの全商品に関する情報を管理するためのＰＯＳホスト（ホスト端末）６ａ１〜６ａｎとをそれぞれ備えている。
【００１８】
ここで、ＰＯＳ端末５ａ１〜５ａｎの中から、代表してＰＯＳ端末５ａ１の機能構成および外観構成をそれぞれ図２および図３に示す。
【００１９】
図２および図３に示すように、ＰＯＳ端末５ａ１は、例えば対応する店舗Ｓａ１内に陳列され、かつ顧客により指定された購入希望商品に添付されたラベル上のバーコード（商品識別コード、商品名、値段等の商品情報がコード化されたもの）を読み取るための読取機構、および購入希望商品に添付されたラベル上の値段等の商品情報を入力するための入力機構（例えばキーボード）をそれぞれ有する購入情報入力部７を備えており、この購入情報入力部７が操作者に面するように台上等に設置されている。
【００２０】
また、ＰＯＳ端末５ａ１は、購入商品情報入力部７に接続されており、その入力部５により入力された情報に基づいて合計金額を算出する処理等の各種処理を実行する処理部８と、この処理部８に接続されており、処理部８により算出された合計金額を、視認可能な状態で表示する処理等を実行する表示部９と、処理部８に接続されており、購入商品名、購入商品値段、合計購入金額、預かり金額、およびつり銭額等を含む今回の商品購入に係わる領収書を表すレシートを処理部８の制御の下で印刷するための印刷部１０と、処理部８およびＰＯＳホスト６ａ１間の通信（有線／無線）を可能にする通信部１１とを備えている。なお、本明細書において、「Ａ／Ｂ」は、「Ａおよび／またはＢ」、言い換えれば、「少なくともＡおよびＢ」を意味するものとする。
【００２１】
ＰＯＳホスト６ａ１は、例えばコンピュータおよびその周辺装置（大容量記録媒体、ディスプレイ、入力装置、印刷機、通信ネットワークＮに対する通信インタフェース等）から構成されている。このＰＯＳホスト６ａ１の例えば大容量記録媒体には、対応店舗Ｓａ１内で販売されている全商品の商品名、販売価格、販売年月日、および在庫数等を互いに関連付けて記憶管理するデータベースが予め構築されている。
【００２２】
すなわち、ＰＯＳ端末５ａ１において、上述した顧客による商品購入によりその顧客に対して販売された商品に関する情報｛販売年月日、販売時刻、商品名、価格、販売点数等、以下、ＰＯＳ情報と呼ぶ｝が得られると、処理部６は、得られたＰＯＳ情報を、通信部１１を介してＰＯＳホスト６ａ１に送信する。
【００２３】
ＰＯＳホスト６ａ１は、通信部１１を介して送信されてきたＰＯＳ情報を受信し、大容量記録媒体に構築されたデータベースを、受信したＰＯＳ情報に基づいてその販売時点で更新するように構成されている。この結果、例えば、対応店舗Ｓａ１の管理者（例えば店長）は、ＰＯＳホスト６ａ１を介してデータベースを閲覧することにより、各商品の販売状況、在庫推移等を何時でも容易に把握することが可能になる。
【００２４】
さらに、ＰＯＳ端末５ａ１は、紙幣入出金機１５および硬貨入出金機１６をそれぞれ備えている。紙幣入出金機１５は、略直方体状の筐体を有しており、例えばＰＯＳ端末５ａ１の下側に設置されている。
【００２５】
すなわち、紙幣入出金機１５は、筐体における操作者側の壁面に設けられ、顧客から預かった商品購入代金の少なくとも一部としての預かり紙幣を投入するための紙幣投入口２０と、上記同一壁面に紙幣投入口２０と並設されており、顧客に支払うつり銭としてのつり銭紙幣を排出するための紙幣排出口２１と、筐体内に設置され、紙幣投入口２０から投入された預かり紙幣を収納するための紙幣収納部２２とを備えている。
【００２６】
すなわち、紙幣入出金機１５の紙幣収納部２２は、レジスタ端末装置２ａ１の稼動状態において、その端末装置２ａ１の操作者や顧客等、店舗Ｓａ１内の全ての人員から接触不可な状態で設置されている。
【００２７】
また、紙幣入出金機１５は、紙幣投入口２０から投入された紙幣の種類（千円札、五千円札、一万円札）を識別するための識別情報（紙幣種別情報）を出力する識別センサ２３と、この識別センサ２３および処理部８に通信可能であり、紙幣収納部２２に関する紙幣の出し入れを管理するための紙幣管理部２４と、この紙幣管理部２４に通信可能であり、紙幣投入口２０から投入され識別センサ２３により種類が識別された後の紙幣を搬送し、紙幣収納部２２に収納する機能、および紙幣収納部に収納された紙幣をつり銭紙幣として取り出して搬送し、紙幣排出口２１を介して排出するための搬送部２５とを備えている。
【００２８】
紙幣収納部２２は、識別センサ２３からの識別情報により千円札として識別された紙幣をつり銭として還流可能に収納するための第１の還流収納部２２ａと、識別センサ２３からの識別情報により五千円札として識別された紙幣をつり銭として還流可能に収納するための第２の還流収納部２２ｂと、識別センサ２３からの識別情報により一万円札として識別された紙幣を還流不能に回収するための回収ボックス２２ｃと、識別センサ２３からの識別情報により識別不能と判断された紙幣を回収するための識別不能紙幣収納部２２ｄとを有している。
【００２９】
回収ボックス２２ｃは、紙幣収納部２２内において着脱可能に設置されており、ボックスごと回収および運搬可能になっている。すなわち、識別センサ２３により千円札として識別された紙幣は、紙幣管理部２４の制御の下で、搬送部２５により搬送されて第１の還流収納部２２ａに収納される。また、識別センサ２３により五千円札として識別された紙幣は、紙幣管理部２４の制御の下で、搬送部２５により搬送されて第２の還流収納部２２ｂに収納される。
【００３０】
一方、識別センサ２３により一万円札として識別された紙幣は、紙幣管理部２４の制御の下で、還流不可能の回収金額として搬送部２５により搬送されて回収ボックス２２ｃに収納される。
【００３１】
また、識別センサ２３により識別不能紙幣と判断された紙幣は、紙幣管理部２４の制御の下で、搬送部２５により搬送されて識別不能紙幣収納部２２ｄに収納される。
【００３２】
また、例えば、第１および第２の還流収納部２２ａおよび２２ｂにそれぞれ収納された紙幣（千円札、五千円札）は、紙幣管理部２４の制御の下で、搬送部２５により取り出され、つり銭紙幣として紙幣排出口２１を介して排出可能になっている。
【００３３】
さらに、紙幣管理部２４は、紙幣収納部２２のそれぞれの収納部（第１および第２の還流収納部２２ａおよび２２ｂ、回収カセット２２ｃ、および識別不能紙幣収納部２２ｄ）に搬送部２５を介して収納される紙幣をそれぞれの収納部２２ａ〜２２ｄ毎（すなわち、紙幣種別毎）に計算してそれぞれの現在の収納枚数および収納金額を把握するように構成されている。
【００３４】
硬貨入出金機１６は、略直方体状の筐体を有しており、例えばＰＯＳ端末５ａ１の下側に紙幣入出金機１５と並置されている。すなわち、硬貨入出金機１６は、筐体における顧客側の壁部上面に設けられ、顧客から預かった商品購入代金の少なくとも一部としての預かり硬貨を投入するための硬貨投入口３０と、上記顧客側の壁部に設けられ、顧客に支払うつり銭としてのつり銭硬貨を排出するための硬貨排出口および排出硬貨受け皿から構成された硬貨排出部３１と、筐体内部に設置され、硬貨投入口３０から投入された硬貨を収納するための硬貨収納部３２とを備えている。
【００３５】
すなわち、硬貨入出金機１６の硬貨収納部３２は、紙幣収納部２２と同様に、レジスタ端末装置２ａ１の稼動状態において、その端末装置２ａ１の操作者や顧客等、店舗Ｓａ１内の全ての人員から接触不可な状態で設置されている。
【００３６】
また、硬貨入出金機１６は、硬貨投入口３０から一括投入された硬貨の種類（一円、五円、十円、五十円、百円、五百円）を識別するための識別情報を出力する識別センサ３３と、この識別センサ３３、処理部８および紙幣管理部２４に通信可能であり、硬貨収納部３２に関する硬貨の出し入れを管理するための硬貨管理部３４とを備えている。
【００３７】
硬貨収納部３２は、硬貨の種類毎に区画されており、投入口３０を介して投入された各硬貨は、識別センサ３３から出力された識別情報に基づいて、図示しない選別機構により例えばその大きさに応じて対応する収納領域に自動的に選別されて収納されるようになっている。
【００３８】
また、硬貨種別毎に区画された硬貨収納部３２の出口側は硬貨排出部３１の硬貨排出口と連結されており、それぞれの硬貨収納部３２からの硬貨排出口への排出を制御する排出機構３５が設けられている。この排出機構３５は、硬貨管理部３４に通信可能であり、硬貨収納部３２により種別毎に収納された硬貨は、硬貨管理部３４の制御の下で、決定された種類および枚数分だけ排出機構３５を介して取り出され、つり銭紙幣として硬貨排出口を介して受け皿上に排出可能になっている。
【００３９】
さらに、硬貨管理部３４は、硬貨収納部３２のそれぞれの収納領域に収納される硬貨をそれぞれの収納領域毎（すなわち、硬貨種別毎）に計算してそれぞれの現在の収納枚数および収納金額を把握するように構成されている。
【００４０】
センタサーバ３は、少なくとも１台のコンピュータシステム｛コンピュータおよびその周辺装置（大容量記録媒体、ディスプレイ、入力装置、印刷機、通信ネットワークＮに対する通信インタフェース等）｝から構成されている。センタサーバの担当者（本部の担当者）は、各店舗Ｓａ１〜ＳａｎのＰＯＳホスト６ａ１〜６ａｎにアクセスしてそれぞれのデータベースに記憶された情報を取得して閲覧することにより、店舗Ｓａ１〜Ｓａｎの全商品に関する販売状況、在庫推移等を何時でも容易に把握することが可能になる。
【００４１】
警備会社サーバ４は、少なくとも１台のコンピュータシステム｛コンピュータおよびその周辺装置（大容量記録媒体、ディスプレイ、入力装置、印刷機、通信ネットワークＮに対する通信インタフェース等）｝から構成されている。
【００４２】
次に、本実施形態の全体動作について説明する。なお、以下の説明では、店舗Ｓａ１のレジスタ端末装置２ａ１を介して商品を購入する場合について説明するが、他の店舗Ｓａ２〜Ｓａｎについても同様である。
【００４３】
店舗Ｓａ１内に陳列された例えば複数の商品を購入したい顧客は、その複数の商品を例えば買い物カゴに入れて端末装置２ａ１の前まで運び、その端末装置２ａ１の操作者に渡す。
【００４４】
操作者は、カゴ内の商品の値段等を含む商品情報をレジスタ端末装置２ａ１のＰＯＳ端末５ａ１における購入情報入力部７を介して端末５ａ１内、すなわち、処理部８に対して入力する。
【００４５】
全ての商品に関する商品情報の入力が終了すると、操作者は、購入情報入力部７における入力機構を操作して所定の情報を入力することにより、処理部８は、全ての購入商品の合計金額（本実施形態では、１０００円以上であり、百円以下の額も存在するものとする）を、入力された商品情報から計算し（図４；ステップＳ１）、計算結果を、購入金額を表すデータ（購入金額データ）として表示部９に表示する（ステップＳ２）。
【００４６】
このとき、処理部８は、得られた購入金額データを紙幣管理部２４および硬貨管理部３４にそれぞれ送信する（ステップＳ３）。
【００４７】
顧客は、表示部９に表示された購入金額データ／操作者からの購入金額の発話に応じて少なくとも購入金額に相当する現金（紙幣および硬貨を含むものとする）を預かり金として操作者に渡す。
【００４８】
操作者は、渡された預かり金の内、紙幣を、紙幣投入口２０を介して紙幣入出金機１５内に投入し、硬貨を、硬貨投入口３０を介して硬貨入出金機１６内に投入する。
【００４９】
このとき、紙幣管理部２４は、識別センサ２３により検出された識別情報（紙幣種別情報）に基づいて搬送部２５を制御することにより、投入紙幣を、対応する収納部（２２ａ〜２２ｄの内の何れか１つ）に売上金として収納し、その投入紙幣額を表す投入紙幣額データを処理部８に送信するとともに、その際の対応する収納部における収納金額および紙幣収納枚数をそれぞれ算出且つ更新する（ステップＳ４）。
【００５０】
同様に、硬貨管理部３４は、識別センサ３３により検出された識別情報に基づいて図示しない搬送機構を制御することにより、投入硬貨を、収納部３２における対応する領域に売上金として収納し、その投入硬貨額を表す投入硬貨額データを処理部８に送信するとともに、その際の対応する収納領域における収納金額および硬貨収納枚数をそれぞれ算出且つ更新する（ステップＳ５）。
【００５１】
処理部８は、紙幣管理部２４から送られてきた投入紙幣額データおよび硬貨管理部３３から送られてきた投入硬貨額データを合計して投入金額データを求め、求めた購入金額データに対する投入金額データの差額をつり銭金額として計算する（ステップＳ６）。
【００５２】
次いで、処理部８は、計算されたつり銭金額に応じて、紙幣管理部２４および硬貨管理部３４の少なくとも一方に対してつり銭払い出し指令を送信する（ステップＳ７）。
【００５３】
紙幣管理部２４および硬貨管理部３４の内の少なくとも一方は、送信されてきたつり銭払い出し指令に応じて、収納部２２および３２の現在の収納状況に基づく最適なつり銭金額の構成（必要な紙幣／硬貨の種類、枚数）を決定し、決定した構成に基づいて、搬送部２５および排出機構３５の内の少なくとも一方を制御することにより、対応する収納部から必要な紙幣／硬貨を必要な枚数だけ排出口２１／排出部３１を介して払い出す（ステップＳ８）。
【００５４】
例えば、ステップＳ６において、１，５３０円に相当する購入金額データに対し、１０，５３０円に相当する投入金額データが求められた場合、つり銭金額として９，０００円が算出される。このため、処理部８から紙幣管理部２４に対して９，０００円のつり銭払い出し指令が送信される。このとき、例えば第２の還流収納部２２ｂに五千円札が少なくとも１枚収納されている場合には、紙幣管理部２４は、搬送部２５を介して第２の還流収納部２２ｂから五千円札を１枚、第１の還流収納部２２ａから千円札を４枚それぞれ取り出し、排出口２１を介して排出（払い出し）する。
【００５５】
また、例えば第２の還流収納部２２ｂに五千円札が１枚も収納されていない場合には、紙幣管理部２４は、搬送部２５を介して第１の還流収納部２２ａから千円札を９枚取り出し、排出口２１を介して排出（払い出し）する。
【００５６】
そして、紙幣管理部２４および硬貨管理部３４の内の少なくとも一方は、つり銭払い出し後の対応する収納部２２および３２の内の少なくとも一方の収納金額を再度演算して更新する（ステップＳ９）。
【００５７】
本実施形態のレジスタ端末装置２ａ１の構成によれば、操作者は、購入情報入力部７を利用した商品情報入力操作、および顧客から渡された預かり金（紙幣／硬貨）を紙幣投入口２０／硬貨投入口３０を介して紙幣入出金機１５／硬貨入出金機１６内に投入する操作を行うことのみ、言い換えれば、紙幣収納部２２／硬貨収納部３２に対して何ら触れることなく、各顧客の購入商品に対応する預かり金入金処理、売上金収納処理、およびつり銭自動算出・払い出し処理をそれぞれ行うことが可能になる。
【００５８】
すなわち、本実施形態では、レジスタ端末装置２ａ１における紙幣収納部２２／硬貨収納部３２には、操作者等の店舗Ｓａ１側の人的介在を排除した状態で、売上金が収納されていくことになる。
【００５９】
例えば、上記構成において、上述したステップＳ８のつり銭金額の構成決定処理時において、必要な種類の紙幣／硬貨が対応する収納部に存在しない場合も想定される。
【００６０】
このような場合においても、本実施形態の構成では、紙幣管理部２４／硬貨管理部３４は、ＰＯＳ端末５ａ１の処理部８を介してその表示部９に対し、上記「必要な種類の紙幣／硬貨の補充指令」を表示させることにより、操作者は、予め用意された対応する紙幣／硬貨を対応する投入口２０／３０から投入する操作のみを行うことにより、つり銭用紙幣／硬貨の補充処理を行うことができる。すなわち、つり銭用紙幣／硬貨補充処理においても、操作者は、レジスタ端末装置２ａ１における紙幣収納部２２／硬貨収納部３２を何ら意識することなく行うことができる。
【００６１】
特に、本実施形態では、紙幣収納部２２および硬貨収納部３２において、一万円札のみを還流不可能な売上金として着脱自在の回収ボックス２２ｃに回収し、他の紙幣および硬貨については、つり銭用として還流させるように構成している。  このため、少なくとも数日間は、レジスタ端末装置２ａ１内においてつり銭が不足する事態を回避できると予想される。
【００６２】
以上述べたように、本実施形態では、主に以下の特徴を有している。すなわち、
【００６３】
（１）レジスタ端末装置２ａ１における紙幣収納部２２および硬貨収納部３２に対して、操作者等の店舗Ｓａ１側の人的介在を排除した状態（人的に接触不可能な状態）で売上金を収納する
【００６４】
（２）回収用の収納部（回収ボックス２２ｃ）内に、つり銭用として還流不可能な一万円札のみを収納し、他の紙幣および硬貨をつり銭用として残置して還流させる（この場合も、収納部に対して非接触な状態でつり銭を補充可能）
【００６５】
上記特徴（１）により、操作者による預かり金不足やつり銭誤り等の人為的ミスが発生する可能性を解消することができ、また、盗難の心配も極力低減することができる。このため、レジスタ端末装置２ａ１内に収納されている売上金を精査することなく、この売上金がその端末装置２ａ１の入力処理により得られた実際の売上データと一致するものと考えることができる。
【００６６】
この結果、本部会社側においては、そのセンタサーバ３を介して任意のタイミングでレジスタ端末装置２ａ１にアクセスすることにより、レジスタ端末装置２ａ１の紙幣管理部２４、処理部８、通信部１１、およびＰＯＳホスト６ａ１を介して、収納部２２および３２全体、あるいは回収ボックス２２ｃに収納された売上金の金額を表すデータを売上データとしてセンタサーバ３に送信させることができる。この結果、センタサーバ３において、送信されてきた売上データを受信して表示することにより、その売上データを把握および管理することができる。
【００６７】
すなわち、本部センタ側においては、従来のように、警備会社から銀行を介して売上金が振り込まれることにより売上金額を把握していた場合と比べて、より迅速に端末装置２ａ１における売上データを把握することが可能になる。この結果、現金運用計画／販売計画等をより迅速に展開することが可能になる。
【００６８】
また、上記特徴（１）および（２）により、人為的ミスや盗難による売上金変化の可能性が極力排除され、かつつり銭を用意する頻度も大幅に低減したことから、警備会社は、上記回収ボックス２２ｃの回収頻度を、１日毎ではなく、例えば数日毎に行うことが可能になり、上記現金回収およびつり銭配布に係わる人的資源を大幅に低減できるというメリットを有する。
【００６９】
以上述べたように、本実施形態の特徴（１）および（２）は、本部側および警備会社双方にとってメリットのあるものである。したがって、本部会社と警備会社との間で新たな委託契約を締結すること（あるいは締結を促すこと）が可能になる。
【００７０】
すなわち、レジスタ端末装置２ａ１の紙幣収納部２２および硬貨収納部３２に預かり金が売上金として収納された時点で、この紙幣収納部２２および硬貨収納部３２、ならびにそれらに収納された売上金は、警備会社の管轄化に置かれ、警備会社が管理するものとする委託契約である。
【００７１】
この委託契約によれば、本部会社側においては、各店舗Ｓａ１〜Ｓａｎでの売上金管理負担、および売上金の精査負担をそれぞれ解消することができるというメリットを得ることができる。また、警備会社においては、上述したように、レジスタ端末装置２ａ１における紙幣収納部２２および硬貨収納部３２の人的行為に対する信頼性が高いことから、たとえ、紙幣収納部２２および硬貨収納部３２、ならびにそれらに収納された売上金を管轄化に置くという役務が生じたとしても、上述した現金回収およびつり銭配布に係わる人的資源の大幅減という大幅なコスト減という利益を生むビジネスモデルであるため、十分に採算に値するものとなっている。
【００７２】
すなわち、本実施形態の構成によれば、本部会社および警備会社双方にとってメリットの高い経済的に優れたビジネスモデルを構築することができるという大きな効果を実現することができる。
【００７３】
なお、本実施形態では、各店舗Ｓａ１〜Ｓａｎにおいて１つのＰＯＳ端末５ａ１があるものとして説明したが、本発明はこの構成に限定されるものではなく、１つのＰＯＳホスト６ａ１に対して複数のＰＯＳ端末を有しているレジスタ端末装置に対しても本発明を適用することができる。この場合、本部会社側に送る売上データとして複数のＰＯＳ端末毎（言い換えれば、店舗毎）の売上データを送信することも可能であるし、ＰＯＳ端末毎の売上データを送信することも可能である。
【００７４】
また、本実施形態では、警備会社により回収される回収ボックス２２ｃに収納される紙幣を一万円札のみとしたが、本発明はこの構成に限定されるものではなく、他の紙幣や硬貨についても、必要とされるつり銭用の準備金以外については、回収ボックスに収納して回収することも可能である。
【００７５】
さらに、本実施形態では、レジスタ端末装置において、ＰＯＳ端末およびＰＯＳホストを別個に構成したが、同一の装置として構成してもよい。また、紙幣入出金機および硬貨入出金機についても、同一の装置として構成してもよい。
【図面の簡単な説明】
【００７６】
【図１】本発明の一実施形態に係わる売上管理システムの概略構成を示すブロック図である。
【図２】図１に示すＰＯＳ端末の概略構成を示すブロック図である。
【図３】図１および図２に示すＰＯＳ端末装置の外観構成を概略的に示す斜視図である。
【図４】図１に示す売上金管理システムの全体動作の一例を説明するための概略フローチャートである。
【符号の説明】
【００７７】
１  売上管理システム
２ａ１〜２ａｎ  レジスタ端末装置
３  センタサーバ
４  警備会社サーバ
５ａ１〜５ａｎ  ＰＯＳ端末
６ａ１〜６ａｎ  ＰＯＳホスト
７  購入情報入力部
８  処理部
９  表示部
１０  印刷部
１１  通信部
１５  紙幣入出金機
１６  硬貨入出金機
２０  紙幣投入口
２１  紙幣排出口
２２  紙幣収納部
２２ａ  第１の還流収納部
２２ｂ  第２の還流収納部
２２ｃ  回収ボックス
２２ｄ  不能紙幣収納部
２３  識別センサ
２４  紙幣管理部
２５  搬送部
３０  硬貨投入口
３１  硬貨排出口
３２  硬貨収納部
３３  識別センサ
３４  硬貨管理部
３５  排出機構
【図１】
2007299147.tif 000003
【図２】
2007299147.tif 000004
【図３】
2007299147.tif 000005
【図４】
2007299147.tif 000006